(57)【要約】【課題】  内刃の往復動に伴う騒音を抑制し静かで円滑な動作を可能にし、使用感を向上させる。【解決手段】  側面視逆Ｕ字状の外刃（１０）の内面に摺接しつつ内刃（５４）が往復動する往復式電気かみそりにおいて、本体内のモータ（１６）により往復駆動されるオシレータ（３０）と、このオシレータ（３０）に植設され外刃（１０）内に向って起立する中心軸（５２）と、この中心軸（５２）に軸方向へ摺動可能に保持され内刃（５４）をその往復方向に直交する直線を中心にして揺動可能に保持する内刃保持台（６２）と、オシレータ（３０）と内刃保持台（６２）との間に縮装されたばね（７４）と、を備える。【選択図】      図１
2006149445.tif 000002
【特許請求の範囲】
【請求項１】
側面視逆Ｕ字状の外刃の内面に摺接しつつ内刃が往復動する往復式電気かみそりにおいて、
本体内のモータにより往復駆動されるオシレータと、
このオシレータに植設され前記外刃内に向って起立する中心軸と、
この中心軸に軸方向へ摺動可能に保持され前記内刃をその往復方向に直交する直線を中心にして揺動可能に保持する内刃保持台と、
オシレータと内刃保持台との間に縮装されたばねと、
を備えることを特徴とする往復式電気かみそり。
【請求項２】
内刃を内刃取付台に揺動可能に保持する揺動支点は、中心軸に内刃往復方向から摺接する内刃保持台の摺動部の上縁または上縁よりも上方に位置する請求項１の往復式電気かみそり。
【請求項３】
中心軸に対する内刃保持台の摺動部は、内刃往復方向の摺動長がこれに直交する方向の摺動長よりも長く、内刃保持台が内刃往復方向へ傾くのを規制する請求項１または２の往復式電気かみそり。
【請求項４】
オシレータには、内刃保持台の上下動を許容しつつ中心軸回りの回動を規制しかつ内刃保持台が中心軸から上方へ脱落するのを防ぐ係合爪を持つ一対のガイドが一体に形成されている請求項１〜３のいずれかの往復式電気かみそり。
【発明の詳細な説明】
【技術分野】
【０００１】
この発明は、外刃の内側で内刃を往復動させることにより顔のひげ（髭）などをそる（剃る）ために用いる往復式電気かみそりに関するものである。
【背景技術】
【０００２】
側面視略逆Ｕ字状の外刃の内面に内刃を摺接させつつ往復させることにより、外刃に設けたスリットに入った髭を内刃によってカットする往復式電気かみそりが公知である。このようなものでは、外刃が皮膚の曲面に沿って傾いたり沈み込むようにして、刃面が皮膚に密着し易くし髭の切れ味を向上させている。この場合、内刃も外刃と共に傾き、また沈み込むようにしている。
【０００３】
【特許文献１】特開２００４−４９８６４号
【特許文献２】特開２００２−１１２６５号
【０００４】
特許文献１，２には、薄板をアーチ状に湾曲させることにより内刃を側面視で略逆Ｕ字状に形成し、その対向する２つの下縁から下方へそれぞれ２又状の爪を突設し、合計４本の爪に内刃フロート具を固定し、この内刃フロート具をオシレータに遊動自在に保持したものが示されている。すなわちフロート具の内刃往復方向の側面を、オシレータ上面に突設した一対のガイドに内刃往復方向から係合させ、フロート具とオシレータとの間にコイルばねを縮装してフロート具を上向きに付勢している。
【０００５】
この場合にフロート具とオシレータのガイドの係合部は、フロート具が上下動自在（沈み込み自在）でありかつ左右へ揺動自在とするために、十分な遊びを設けている。なおフロート具の下部には内刃往復方向に突出する突部を設ける一方、オシレータのガイド上端にはこのフロート具の突部に係合してフロート具がガイドから脱落するのを防ぐ爪を設けている。
【発明の開示】
【発明が解決しようとする課題】
【０００６】
このように従来のものは、内刃に一体的に固定したフロート具を、オシレータに突設した一対のガイドに対して揺動自在かつ沈み込み自在に保持するため、フロート具とガイドとの間に十分な遊びを設ける必要があった。このように遊びが多いと、オシレータにより内刃を往復駆動させる際に発生する騒音が大きくなるという問題があった。すなわちオシレータの移動方向が変化する際に遊びの間だけオシレータは空走し、その後ガイドがフロート具に衝突してフロート具を逆方向に移動させることになるためである。
【０００７】
この発明はこのような事情に鑑みなされたものであり、内刃の往復動に伴う騒音を抑制し静かで円滑な動作が可能になり、使用感が向上する往復式電気かみそりを提供することを目的とする。
【課題を解決するための手段】
【０００８】
この発明によればこの目的は、側面視逆Ｕ字状の外刃の内面に摺接しつつ内刃が往復動する往復式電気かみそりにおいて、本体内のモータにより往復駆動されるオシレータと、このオシレータに植設され前記外刃内に向って起立する中心軸と、この中心軸に軸方向へ摺動可能に保持され前記内刃をその往復方向に直交する直線を中心にして揺動可能に保持する内刃保持台と、オシレータと内刃保持台との間に縮装されたばねと、を備えることを特徴とする往復式電気かみそりにより達成される。
【発明の効果】
【０００９】
内刃は内刃保持台（フロート具に対応する）に対して左右揺動自在に保持し、内刃保持台はオシレータに植設した中心軸に上下動自在（沈み込み自在）に保持するから、内刃保持台とオシレータとの間には内刃往復方向の遊びは最小限で済むことになる。また内刃と内刃保持台との係合部にも内刃往復方向の遊びを設ける必要が無い。このためオシレータが往復する際に内刃保持台との間に発生する騒音は極めて小さくなる。従って電気かみそりの使用中の騒音が小さくなり、静かで円滑な動作が可能であり、使用感が向上する。
【発明を実施するための最良の形態】
【００１０】
内刃を内刃保持台に揺動自在に保持する支点（揺動支点）を通り内刃往復方向に直交する直線は、中心軸に対する内刃保持台の往復方向の摺動部の上縁付近または上縁よりも上方（内刃側）に位置させれば、内刃の揺動支点の位置が高くなる（請求項２）。内刃の摺動面にはその移動方向と逆向きの摺動抵抗が作用するから、内刃にはその揺動支点を中心とする偶力（モーメント）が作用する。従って揺動支点の位置を高くして内刃の摺動面に近づければこの偶力も小さくなり、内刃保持台に加わる偶力も小さくなる。このため内刃保持台は中心軸上で円滑に上下方向に摺動でき、内刃の動きが一層円滑になる。
【００１１】
内刃保持台と中心軸との摺動部は、内刃往復方向の摺動長（接触部分の長さ）がこれに直交する方向の摺動長よりも長くなるようにすれば、内刃に作用する前記偶力に対して内刃保持台が内刃往復方向に一層傾きにくくなる（請求項３）。一方、内刃は内刃往復方向に直交する方向の摺動長が短いので、内刃はこの向きには傾き易くなり、内刃の外刃に対する密着性が向上する。すなわち、外刃は通常極めて薄い金属板で作られるから、外刃に内刃往復方向に直交する向きに外力が加わると僅かに変形したり移動することになる。これに対して内刃もこの方向に容易に傾いて外刃との密着を保つことができる。
【００１２】
オシレータには内刃保持台の回動を規制する一対のガイドを設け、このガイドには内刃保持台が中心軸から上方へ脱落する（抜け落ちる）のを防ぐための係合爪を設けておけば、内刃保持台の上下動が一層円滑になる（請求項４）。また外刃を取外した時に内刃と内刃保持台とがオシレータ側に組付けられた状態に保持されるから、ヘッド部の分解組立てが容易になり、髭くずの掃除に都合がよい。
【実施例１】
【００１３】
図１はこの発明の一実施例のヘッド部を一部断面して示す正面図、図２はそのII−II線断面図、図３は要部の分解斜視図である。なお図１は一部を図２におけるＩ−Ｉ線で断面したものであり、また図２，３はオシレータの下部を省いて示している。
【００１４】
図１において１０は外刃であり、多数の小孔を形成した薄い金属板をアーチ状に湾曲して側面視略逆Ｕ字状に形成したものである。この外刃１０はヘッドカバー１２に収容され、その上縁を含む一部がヘッドカバー１２から上方に突出している。なお外刃１０はヘッドカバー１２に下方から装填され、上方への脱出が規制される一方、一方へは所定量移動可能である。ヘッドカバー１２を含むヘッド部は本体部１４に着脱可能または開閉可能である。
【００１５】
本体部１４内には電動モータ１６、電池、スイッチ、制御回路部品などが収容される。モータ１６の回転軸１８は本体部１４の上部中央から上方に向って垂直に起立している。回転軸１８には第１のジョイント２０が固定され、この第１のジョイント２０の上に第１の偏心ピン２２を介して第２のジョイント２４が固着され、この第２のジョイント２４の上に第２の偏心ピン２６が起立している。ここに第１および第２の偏心ピン２２，２６は回転軸１８と平行かつ回転軸１８を通る中心線２８に挟んで対称位置にする。
【００１６】
３０はオシレータである。オシレータ３０は左右両端に取付け部３２，３２を持ち、これらの取付け部３２，３２は本体部１４に設けた左右一対の起立柱部３４，３４の上面に固定されている。オシレータ３０は左右両端の取付け部３２，３２が起立柱部３４，３４に吊られ、これら取付け部３２，３２の間にＵ字状の折曲部３６，３６を介して吊られた中央部３８が左右に振動可能である。この中央部３８はリンク４０によって前記第２の偏心ピン２６に連結されている。このためモータ１６の回転軸１８が回転するとリンク４０によりオシレータ３０の中央部３８が左右に振動する。
【００１７】
なおこのオシレータ３０に隣接して正面視同形状の他のオシレータ（図示せず）が起立柱部３４，３４に保持され、このオシレータの中央部はリンク４２により第１の偏心ピン２２に連結されている。この他のオシレータは第１，２に示されていない他の内刃を駆動するものである。
【００１８】
オシレータ３０の中央部３８の上面には、支柱４４が起立し、この支柱４４の上端にガイド保持板４６が一体成形されている。このガイド保持板４６には左右一対のガイド４８，４８が起立している。ガイド４８，４８の上端には中心側へ突出する係合爪５０，５０が形成されている。この係合爪５０，５０は後記内刃保持台６２の脱落を防ぐ。ガイド保持板４６の中央には上方に垂直に起立する中心軸５２が植設されている。
【００１９】
５４は内刃である。内刃５４は金属板をアーチ状に湾曲して側面視略逆Ｕ字状とし、そのアーチ状の山を横断するように多数のスリット５６を加工したものである（図２，３）。この内刃５４には、対向する２つの下縁の中央から、下方へ略半円形に突出する円弧部５８，５８が形成されている。これら円弧部５８，５８の対向面には一対の突起６０，６０が形成されている（図２）。
【００２０】
６２は内刃保持台である。内刃保持台６２は中央に前記中心軸５２が貫通し、この中心軸５２上で上下に摺動可能である。内刃保持台６２の下部には、前記オシレータ３０のガイド４８の外周面（内刃保持台６２との対向面およびその両側面）に係合する３つのガイド爪６４が左右に２組形成されている。内刃保持台６２はガイド爪６４をガイド４８に係合させることにより中心軸５２回りの回動が規制される。なおガイド爪６４とガイド４８は内刃保持台６２の上下動は許容する。
【００２１】
内刃保持台６２の上部には、内刃５４の一対の円弧部５８，５８の内側へ下方から進入する一対の起立壁６６，６６が形成されている。これら起立壁６６，６６の外側面には上方に広がるガイド溝６８，６８が形成され、ガイド溝６８，６８の下部が起立壁６６，６６の厚さ方向に陥没する凹部７０，７０となっている。従って突起６０，６０をガイド溝６８，６８に上方から位置合せしつつ内刃５４の円弧部５８，５８の間に内刃保持台６２の起立壁６６，６６を押し込むことにより、内刃５４の突起６０，６０を内刃保持台６２の凹部７０，７０に係合させることができる。
【００２２】
突起６０および凹部７０は図１に示すように周方向の遊びが小さい円形であり、内刃５４はこの凹部７０を中心にして揺動する。すなわち突起６０，６０、凹部７０，７０の中心を通る直線７２（図２）は内刃５４の往復方向に対して直交する直線であり、この直線７２は内刃５４の揺動支点となる。このため内刃５４はこの直線７２を支点として揺動可能である。
【００２３】
内刃保持台６２とガイド保持台４６との間には、中心軸５２を挟んでコイルばね７４が縮装されている。ガイド４８を３方から囲む内刃保持台６２の３つの爪６４のうち中央の爪６４Ａはガイド４８の上端に設けた係合爪５０に下方から係合する（図１）。この結果内刃保持台６２はコイルばね７４により上方へ付勢され、中央の爪６４Ａが係合爪５０に係合して上方への脱落が防止される。なお図１は爪６４Ａと係合爪５０が当接した状態、すなわち外刃１０を取外した状態を示すが、実際に外刃１０を装填した時には外刃１０により内刃５４が下方へ押し込まれ、コイルばね７４を圧縮し爪６４Ａが係合爪５０から離れる。
【００２４】
内刃保持台６２と中心軸５２との摺動部について説明する。中心軸５２が貫通する内刃保持台６２の貫通孔７６は、正面から見て（図１）その上縁が内刃５４の揺動支点７２とほぼ同じ高さに位置する。すなわち内刃５４の往復方向から中心軸５２に摺接する摺動長Ａ（図１）はその上縁が揺動支点７２付近にあって下方に十分長い。このため内刃保持台６２が内刃往復方向へ傾くのが防止される。
【００２５】
また内刃保持台６２の起立壁６６と中心軸５２との間には、上方に開く深い溝７８，７８（図２）が形成されている。このため側面から見て（図２）内刃保持台６２の下部だけで中心軸５２に摺接することになり、側面視では内刃往復方向に直交する方向の摺動長Ｂが短くなる。このため内刃保持台６２は内刃往復方向に直交する方向には傾き易くなり、内刃５４は外刃１０に追従して両者の密着性を良好とし、髭の切れ味を向上させることができる。
【００２６】
次にこの実施例の動作を説明する。モータ１６の回転軸１８が回転すると、オシレータ３０の中央部３８が往復動し、これと一体のガイド板４６、ガイド４８、中心軸５２等が往復動する。中心軸５２に保持されて上下に摺動可能な内刃保持台６２は、外刃１０を下方へ押し込むことにより内刃５４と共に下方へ押し込まれ、中心軸５２上を下方へ摺動する。
【００２７】
外刃１０が傾くと内刃５４もこれと共に揺動支点７２を中心にして傾く。揺動支点７２は高い位置すなわち内刃５４と外刃１０との摺動面に近い位置にあるので、この摺動抵抗により揺動支点７２に作用する偶力は小さくなる。この偶力は内刃５４が揺動支点７２を中心に揺動することにより解放されるので、内刃保持台６２に作用する偶力はゼロまたは極めて小さくなり、内刃保持台６２の円滑な上下動が可能である。また内刃往復方向に対して内刃５４と中心軸５２との間の遊びが極めて少なくなるから、騒音が著しく小さくなり、動作音が静かになる。
【００２８】
さらに内刃保持台６２と中心軸５２との摺動部は、内刃往復方向の摺動長Ａが長いから、内刃保持台６２が傾くのを十分に防止することができる。また内刃往復方向に直交する方向の摺動長Ｂが短いから、内刃保持台６２はこの方向には傾き易くなり、内刃の外刃に対する密着性が向上し、切れ味の向上に適する。
【図面の簡単な説明】
【００２９】
【図１】本発明の一実施例のヘッド部を一部断面した正面図
【図２】図１におけるII−II線断面図
【図３】要部の分解斜視図
【符号の説明】
【００３０】
１０  外刃
１２  ヘッドカバー
１４  本体部
１６  電動モータ
３０  オシレータ
４８  ガイド
５０  係合爪
５２  中心軸
５４  内刃
６０  突起
６２  内刃保持台
６４  ガイド爪
７０  凹部
７２  揺動支点（内刃往復方向に直交する直線）
７４  コイルばね
７６  貫通孔
Ａ  内刃往復方向の摺動長
Ｂ  内刃往復方向に直交する方向の摺動長
【図１】
2006149445.tif 000003
【図２】
2006149445.tif 000004
【図３】
2006149445.tif 000005